(57)【要約】【課題】遊技媒体回収手段を必要としない遊技機が設置された場合、当該遊技媒体回収手段を取り外す必要がなく、且つ、遊技媒体回収手段に異物等が侵入してしまうのを防止することができる島設備を提供する。【解決手段】パチンコ遊技機Ｐ及びスロットマシンＳから成る遊技機を任意選択的に複数設置可能な島設備１において、パチンコ遊技機Ｐから排出される遊技球を回収し得る遊技球回収手段８と、遊技球回収手段８を必要としないスロットマシンＳを設置する場合、遊技球回収手段８を覆い得る蓋部材１０とを具備したものである。【選択図】図５
2017104270.tif 000002
【特許請求の範囲】
【請求項１】
パチンコ遊技機及びスロットマシンから成る遊技機を任意選択的に複数設置可能な島設備において、
遊技機から排出される遊技媒体を回収し得る遊技媒体回収手段と、
前記遊技媒体回収手段を必要としない遊技機を設置する場合、前記遊技媒体回収手段を覆い得る蓋部材と、
を具備したことを特徴とする島設備。
【請求項２】
前記遊技媒体回収手段を必要とする遊技機が設置された場合、その遊技機を載置する載置部材を具備するとともに、当該遊技機に代えて前記遊技媒体回収手段を必要としない遊技機を設置する際、前記載置部材に代えて前記蓋部材が取付可能とされ、その蓋部材上に前記遊技機が載置されることを特徴とする請求項１記載の島設備。
【請求項３】
前記蓋部材は、島設備の正面側の遊技機の下部及び背面側の遊技機の下部に亘って取り付けられる板状部材から成ることを特徴とする請求項１又は請求項２記載の島設備。
【請求項４】
設置される遊技機に応じて上下方向に移動して所定高さにて固定可能とされた膳板を具備したことを特徴とする請求項１〜３の何れか１つに記載の島設備。
【発明の詳細な説明】
【技術分野】
【０００１】
本発明は、パチンコ遊技機及びスロットマシンから成る遊技機を任意選択的に複数設置可能な島設備に関するものである。
【背景技術】
【０００２】
近年、パチンコ遊技機及びスロットマシンを任意選択的に複数設置可能な島設備が提案されている。このようなパチンコ遊技機及びスロットマシンの設置を共用可能な島設備においては、遊技機から排出される遊技媒体（遊技球又はメダル）を回収するための遊技媒体回収手段（遊技球を回収し得る遊技球回収手段やメダルを回収し得るメダル回収手段等）が配設されている。なお、かかる先行技術は、文献公知発明に係るものでないため、記載すべき先行技術文献情報はない。
【発明の概要】
【発明が解決しようとする課題】
【０００３】
上記従来の島設備においては、例えば遊技媒体回収手段として遊技球回収手段が設置され、且つ、メダルを機外に排出しないスロットマシンを設置する場合、遊技球回収手段を取り外す必要がなく、次にパチンコ遊技機を設置する場合に再度利用することができるものの、当該スロットマシンが設置された期間中は、利用されることがなく、塵や異物等が侵入してしまう虞があった。この場合、次にパチンコ遊技機を設置して遊技球回収手段を再度利用する際、正常な回収動作を行わせることができない可能性がある。なお、遊技媒体回収手段としてメダル回収手段が設置され、遊技球を機外に排出しないパチンコ遊技機（封入型パチンコ遊技機）を設置する場合も、上記と同様の問題がある。
【０００４】
本発明は、このような事情に鑑みてなされたもので、遊技媒体回収手段を必要としない遊技機が設置された場合、当該遊技媒体回収手段を取り外す必要がなく、且つ、遊技媒体回収手段に異物等が侵入してしまうのを防止することができる島設備を提供することにある。
【課題を解決するための手段】
【０００５】
請求項１記載の発明は、パチンコ遊技機及びスロットマシンから成る遊技機を任意選択的に複数設置可能な島設備において、遊技機から排出される遊技媒体を回収し得る遊技媒体回収手段と、前記遊技媒体回収手段を必要としない遊技機を設置する場合、前記遊技媒体回収手段を覆い得る蓋部材とを具備したことを特徴とする。
【０００６】
請求項２記載の発明は、請求項１記載の島設備において、前記遊技媒体回収手段を必要とする遊技機が設置された場合、その遊技機を載置する載置部材を具備するとともに、当該遊技機に代えて前記遊技媒体回収手段を必要としない遊技機を設置する際、前記載置部材に代えて前記蓋部材が取付可能とされ、その蓋部材上に前記遊技機が載置されることを特徴とする。
【０００７】
請求項３記載の発明は、請求項１又は請求項２記載の島設備において、前記蓋部材は、島設備の正面側の遊技機の下部及び背面側の遊技機の下部に亘って取り付けられる板状部材から成ることを特徴とする。
【０００８】
請求項４記載の発明は、請求項１〜３の何れか１つに記載の島設備において、設置される遊技機に応じて上下方向に移動して所定高さにて固定可能とされた膳板を具備したことを特徴とする。
【発明の効果】
【０００９】
本発明によれば、遊技機から排出される遊技媒体を回収し得る遊技媒体回収手段と、遊技媒体回収手段を必要としない遊技機を設置する場合、遊技媒体回収手段を覆い得る蓋部材とを具備したので、遊技媒体回収手段を必要としない遊技機が設置された場合、当該遊技媒体回収手段を取り外す必要がなく、且つ、遊技媒体回収手段に異物等が侵入してしまうのを防止することができる。
【図面の簡単な説明】
【００１０】
【図１】本発明の第１の実施形態に係る島設備（パチンコ遊技機を設置した状態）の全体構成を示す正面図
【図２】同島設備を側方から見た断面図
【図３】同島設備を示す平面図
【図４】同島設備（スロットマシンを設置した状態）の全体構成を示す正面図
【図５】同島設備を側方から見た断面図
【図６】同島設備を示す平面図
【図７】同島設備に取り付けられる化粧部材を示す３面図
【図８】本発明の第２の実施形態に係る島設備（パチンコ遊技機を設置した状態）の側方から見た断面図
【図９】同島設備（スロットマシンを設置した状態）の側方から見た断面図
【図１０】同島設備におけるフレームを示す側面図
【発明を実施するための形態】
【００１１】
以下、本発明の実施形態について図面を参照しながら具体的に説明する。
第１の実施形態に係る島設備は、パチンコ遊技店内のホール等、遊技場の床に固設されて複数の遊技機を任意選択的に設置可能とされたもので、図１〜３に示すように、遊技球を遊技媒体として使用して遊技するパチンコ遊技機Ｐが複数設置された状態と、図４〜６に示すように、メダルを遊技媒体として使用して遊技するスロットマシンＳ（所謂「パチスロ」と称される遊技機）が設置された状態とし得るものである。
【００１２】
本実施形態に係る島設備１は、膳板２と、上面を覆う天板３と、正面及び背面の上部を覆う幕板４と、呼出ランプ１３が取り付けられるランプ板５と、正面及び背面の下部を覆う腰板６と、床面上に島設備１を支持する巾木７とを有したフレームＦを有して構成されている。しかして、島設備１にパチンコ遊技機Ｐを設置する場合、図２、３に示すように、膳板２上に載置部材９を取り付け、その載置部材９上にパチンコ遊技機Ｐが載置されるとともに、島設備１にスロットマシンＳを設置する場合、図５、６に示すように、膳板２上に蓋部材１０を取り付け、その蓋部材１０上にスロットマシンＳが載置されるよう構成されている。
【００１３】
さらに、島設備１の下部（腰板６で覆われた部位）には、遊技機から排出される遊技媒体を回収し得る遊技媒体回収手段が配設されており、本実施形態においては、パチンコ遊技機Ｐから排出される遊技球を回収可能なコンベアから成る遊技球回収手段８が島設備１の長手方向に亘って延設されている。これにより、パチンコ遊技機Ｐが設置された場合、各パチンコ遊技機Ｐから排出された遊技球がアウトボックス１１を介して落下通路１２から落下し、遊技球回収手段８に至り、島設備１の所定部位まで搬送されて回収され得るようになっている。
【００１４】
なお、パチンコ遊技機Ｐに遊技球を補給し得る遊技球補給手段（不図示）が島設備１の上部に配設されている。また、本実施形態においては、スロットマシンＳにメダルを補給するメダル補給手段やスロットマシンＳから排出されるメダルを回収可能な遊技媒体回収手段を具備しておらず、ホール係等の作業員が各スロットマシンＳに手作業にてメダルを補給するとともに手作業にてメダルを回収するものとされている。よって、本実施形態においては、パチンコ遊技機Ｐが遊技媒体回収手段を必要とする遊技機であり、スロットマシンＳが遊技媒体回収手段を必要としない遊技機に相当する。
【００１５】
ここで、本実施形態においては、遊技媒体回収手段を必要としない遊技機（本実施形態においては、スロットマシンＳ）を設置する場合、図５に示すように、遊技球回収手段８（遊技媒体回収手段）の上方を覆い得る蓋部材１０が取り付けられるよう構成されている。かかる蓋部材１０は、図６に示すように、島設備１の正面側の遊技機（スロットマシンＳ）の下部及び背面側の遊技機（スロットマシンＳ）の下部に亘って取り付けられる板状部材から成り、使用されない遊技球回収手段８を覆って埃や異物等の侵入を防止し得るようになっている。
【００１６】
一方、遊技媒体回収手段を必要とする遊技機（本実施形態においては、パチンコ遊技機Ｐ）を設置する場合、図２、３に示すように、島設備１の正面側の遊技機（パチンコ遊技機Ｐ）と、背面側の遊技機（パチンコ遊技機Ｐ）とをそれぞれ載置する載置部材９が取り付けられるよう構成されている。かかる載置部材９は、パチンコ遊技機Ｐを載置しつつ遊技球回収手段８の上方を解放させて、パチンコ遊技機Ｐから排出された遊技球を遊技球回収手段８まで落下させ得るようになっている。
【００１７】
しかして、遊技球回収手段８を必要とする遊技機（パチンコ遊技機Ｐ）が設置された場合、その遊技機を載置する載置部材９を具備するとともに、当該遊技機に代えて遊技球回収手段８を必要としない遊技機（スロットマシンＳ）を設置する際、載置部材９に代えて蓋部材１０が取付可能とされ、その蓋部材１０上に遊技機（スロットマシンＳ）が載置されることとなる。
【００１８】
上記島設備１に代えて、スロットマシンＳから排出されるメダルを回収し得るメダル回収手段を遊技媒体回収手段として具備するとともに、パチンコ遊技機Ｐが機外に遊技球を排出しないもの（例えば、遊技球が機内で循環する封入式のパチンコ遊技機）とした島設備に適用するようにしてもよい。この場合、スロットマシンＳが遊技媒体回収手段を必要とする遊技機となり、パチンコ遊技機Ｐが遊技媒体回収手段を必要としない遊技機となる。
【００１９】
一方、パチンコ遊技機Ｐは、島設備１に選択的に設置可能な遊技機であり、隣接した位置に周辺機器Ｐａとしての球貸機Ｐａが併設されるようになっている。かかるパチンコ遊技機Ｐの幅方向の標準寸法は、図１に示すように、α１（例えば５２２（ｍｍ））とされているとともに、球貸機Ｐａの幅方向の標準寸法は、α２（例えば４０（ｍｍ））とされている。また、スロットマシンＳは、島設備１に選択的に設置可能な遊技機であり、隣接した位置に周辺機器としてのメダル貸機Ｓａが併設されるようになっている。かかるスロットマシンＳの幅方向の標準寸法は、図４に示すように、β１（例えば４７５（ｍｍ））とされているとともに、メダル貸機Ｓａの幅方向の標準寸法は、β２（例えば１００（ｍｍ））とされている。
【００２０】
上記のように、パチンコ遊技機Ｐを設置する場合に必要とされる幅方向の寸法（α１＋α２）と、スロットマシンＳを設置する場合に必要とされる幅方向の寸法（β１＋β２）とが相違するため、遊技者が着座し得る椅子Ｙ（図３、６参照）を基準として遊技機を設置した場合、パチンコ遊技機Ｐ間に生じる隙間の寸法（α３）と、スロットマシンＳ間に生じる隙間の寸法（β３）とが異なってしまう。このように、島設備１にパチンコ遊技機Ｐを設置する場合の遊技機間に生じた隙間、及びスロットマシンＳを設置する場合の遊技機間に生じた隙間には、図１、３、４、６に示すように、化粧部材１４が取り付けられるよう構成されている。
【００２１】
かかる化粧部材１４は、遊技機間に生じた隙間に取り付けられ、その隙間を覆って目隠しするためのもので、図７に示すように、パチンコ遊技機Ｐを設置したときの遊技機間の隙間寸法α３と合致する第１面１４ａと、スロットマシンＳを設置したときの遊技機間の隙間寸法β３に合致する第２面１４ｂとを有した一体部材から成る。すなわち、本実施形態に係る化粧部材１４は、第１面１４ａと第２面１４ｂとがＬ字状に屈曲形成された板状部材から成り、遊技機間の隙間に取り付けられるもので、パチンコ遊技機Ｐを設置する場合、第１面１４ａを外部に臨ませて取り付けられるとともに、スロットマシンＳを設置する場合、第２面１４ｂを外部に臨ませて取り付けられるようになっている。
【００２２】
さらに、本実施形態に係る化粧部材１４は、遊技機間の隙間に取り付けられる際に遊技機又はその周辺機器に対して当接しつつ撓み得る付勢部材１５を具備している。具体的には、付勢部材１５は、化粧部材１４の２カ所の縁部に取り付けられた板金から成り、それぞれが側方に向かって折り曲げ形成された折り曲げ部１５ａを有している。かかる付勢部材１５は、弾力を有しており、折り曲げ部１５ａに負荷をかけると撓み、復元力にて元に戻ろうとして付勢力が付与されるようになっている。
【００２３】
しかして、パチンコ遊技機Ｐを設置する場合、図３に示すように、化粧部材１４を遊技機間の隙間に取り付ける際、折り曲げ部１５ａが周辺機器（球貸機Ｐａ）の側面に当接しつつ撓むことで、付勢部材１５にて付勢力を付与しつつ取り付け可能とされる。同様に、スロットマシンＳを設置する場合、図６に示すように、化粧部材１４を遊技機間の隙間に取り付ける際、折り曲げ部１５ａが周辺機器（メダル貸機Ｓａ）の側面に当接しつつ撓むことで、付勢部材１５にて付勢力を付与しつつ取り付け可能とされる。
【００２４】
上記実施形態によれば、遊技機（パチンコ遊技機Ｐ）から排出される遊技媒体（遊技球）を回収し得る遊技媒体回収手段（遊技球回収手段８）と、遊技媒体回収手段を必要としない遊技機を設置する場合、遊技媒体回収手段を覆い得る蓋部材１０とを具備したので、遊技媒体回収手段を必要としない遊技機が設置された場合、当該遊技媒体回収手段を取り外す必要がなく、且つ、遊技媒体回収手段に異物等が侵入してしまうのを防止することができる。
【００２５】
また、遊技媒体回収手段を必要とする遊技機が設置された場合、その遊技機を載置する載置部材９を具備するとともに、当該遊技機に代えて遊技媒体回収手段を必要としない遊技機を設置する際、載置部材９に代えて蓋部材１０が取付可能とされ、その蓋部材１０上に遊技機が載置されるので、遊技媒体回収手段を必要とする遊技機と必要としない遊技機とを交換する際、載置部材９と蓋部材１０とを交換することにより対応することができる。
【００２６】
さらに、本実施形態に係る蓋部材１０は、島設備の正面側の遊技機の下部及び背面側の遊技機の下部に亘って取り付けられる板状部材から成るので、より確実に遊技媒体回収手段に異物等が侵入してしまうのを防止することができる。なお、蓋部材１０は、板状のものに限らず、ブロック状のもの、或いは蓋としての機能の他、別の機能を有した部材から成るものとしてもよい。
【００２７】
加えて、本実施形態に係る島設備１に取り付けられる化粧部材１４によれば、パチンコ遊技機Ｐを設置したときの遊技機間の隙間寸法α３と合致する第１面１４ａと、スロットマシンＳを設置したときの遊技機間の隙間寸法β３に合致する第２面１４ｂとを有したので、遊技機毎の専用の化粧部材を不要とすることができるとともに、パチンコ遊技機Ｐ及びスロットマシンＳの何れを設置しても遊技機間の隙間を確実且つ円滑に覆うことができる。
【００２８】
また、第１面１４ａと第２面１４ｂとがＬ字状に屈曲形成された板状部材から成るので、より簡易な構成によって、遊技機毎の専用の化粧部材を不要とすることができるとともに、パチンコ遊技機Ｐ及びスロットマシンＳの何れを設置しても遊技機間の隙間を確実且つ円滑に覆うことができる。さらに、遊技機間の隙間に取り付けられる際に遊技機又はその周辺機器に対して当接しつつ撓み得る付勢部材１５を具備したので、遊技機又はその周辺機器の幅方向の寸法誤差を付勢部材１５にて吸収することができ、遊技機間の隙間をより精度よく覆うことができる。
【００２９】
次に、本発明の第２の実施形態に係る島設備について説明する。
本実施形態に係る島設備１’は、第１の実施形態と同様、パチンコ遊技店内のホール等、遊技場の床に固設されて複数の遊技機を任意選択的に設置可能とされたもので、図８〜１０に示すように、遊技球を遊技媒体として使用して遊技するパチンコ遊技機Ｐが複数設置された状態（図８参照）と、メダルを遊技媒体として使用して遊技するスロットマシンＳが設置された状態（図９参照）とし得るものである。なお、第１の実施形態と同様の構成要素には、同一の符号を付し、それらの詳細な説明を省略する。
【００３０】
フレームＦは、島設備の長手方向に所定寸法離間して固設（本実施形態においては複数固設）された金属製部材から成り、図１０に示すように、第１フレーム部Ｆａと、第２フレーム部Ｆｂと、第３フレーム部Ｆｃと、第４フレーム部Ｆｄとから主に構成されている。なお、これら第１フレーム部Ｆａ〜第４フレーム部Ｆｄは、それぞれ同一金属材から成り、例えば溶接等によって組み付けられている。
【００３１】
第１フレーム部Ｆａは、それぞれのフレームＦの下部に位置するとともに、膳板２を任意高さで固定し得るものである。より具体的には、第１フレーム部Ｆａには、高さ方向に複数のネジ孔が形成されており、何れのネジ孔にボルトを挿通して膳板２を固定するかによって当該膳板２の固定位置を任意の高さで設定できるのである。なお、膳板２の固定は、ボルトに限らず、他の汎用的な固定手段を用いるようにしてもよい。
【００３２】
膳板２は、図８、９に示すように、載置部材９又は蓋部材１０を介して遊技機（パチンコ遊技機Ｐ又はスロットマシンＳ）を載置可能とされるとともに設置される遊技機に応じて上下方向に移動して所定高さにてフレームＦに固定可能とされた木製部材から成る。より具体的には、膳板２は、上面に遊技機（パチンコ遊技機Ｐ又はスロットマシンＳ）が載置可能な板状の部材から成るとともに、下方に垂下して形成された垂下部２ａを有して構成されており、島設備１’の一端から他端に亘って（島設備の長手方向に亘って）取り付けられるようになっている。
【００３３】
しかして、膳板２にパチンコ遊技機Ｐを載置する際には、図８に示すように、当該膳板２を床面からＨ１の高さで固定するとともに、膳板２にスロットマシンＳを載置する際には、図９に示すように、当該膳板２を床面からＨ２の高さ（Ｈ１より低い高さ）で固定し得るようになっている。なお、本実施形態に係る膳板２には、フレームＦの設置位置に切欠きが形成されており、当該切欠きにより膳板２が上下に移動するのを許容している。
【００３４】
支持部材１６は、膳板２の下部に位置しつつ島設備１’の長手方向に延設され、当該膳板２を支持する金属製部材から成るもので、例えば断面ロ字状（空間部分が矩形状）の筒状部材（中空状部材）から成る。すなわち、支持部材２は、膳板２の下部にネジ等で固定されており、上述のように、膳板２をフレームＦ（具体的には第１フレーム部Ｆａ）の所定位置に固定（ボルト等の締結手段による固定）した状態で膳板２とフレームＦとの間に介在し、当該膳板２に遊技機が載置された際の荷重を受け得るものとされている。
【００３５】
一方、フレームＦにおける第１フレーム部Ｆａには、図８、９に示すように、所定位置に当接部材１７が固定されている。かかる当接部材１７は、膳板２の所定部位２ａと当接して当該膳板２を所定の高さ（図９中Ｈ２の高さ）で位置決め可能なもので、第１フレーム部Ｆａにボルト等の締結手段で固定されている。すなわち、膳板２の所定部位２ａを当接部材１７に当接させることにより、スロットマシンＳを載置すべき高さＨ２に膳板２を位置決めできるので、その状態で膳板２を第１フレーム部Ｆａに固定させれば、容易に膳板２を高さＨ２にて取り付けることができるのである。
【００３６】
さらに、本実施形態においては、当接部材１７と膳板２の所定部位２ａとの間に介在可能とされ、当該膳板２を所定の高さ（図８中Ｈ１の高さ）で位置決め可能なスペーサ１８を有している。すなわち、当接部材１７上にスペーサ１８を介在させた後、膳板２の所定部位２ａをスペーサ１８に当接させることにより、パチンコ遊技機Ｐを載置すべき高さＨ１に膳板２を位置決めできるので、その状態で膳板２を第１フレーム部Ｆａに固定させれば、容易に膳板２を高さＨ１にて取り付けることができるのである。
【００３７】
なお、膳板２の所定部位２ａ及び当接部材１７の遊技者側には、パチンコ遊技機Ｐを設置する際（膳板２がＨ１の高さのとき）、パチンコ遊技機用腰板６ａ（図８参照）を取り付け可能とされるとともに、スロットマシンＳを設置する際（膳板２がＨ２の高さのとき）、スロットマシン用腰板６ｂ（図９参照）を取り付け可能とされている。また、図中符号Ｂは、パチンコ遊技機Ｐの上部を支持するための支持板を示すとともに、符号Ｃは、スロットマシンＳの上部を支持するための支持板を示している。
【００３８】
ここで、本実施形態においては、第１の実施形態と同様、遊技媒体回収手段を必要としない遊技機（本実施形態においては、スロットマシンＳ）を設置する場合、図９に示すように、遊技球回収手段８（遊技媒体回収手段）の上方を覆い得る蓋部材１０が取り付けられるよう構成されている。かかる蓋部材１０は、島設備１の正面側の遊技機（スロットマシンＳ）の下部及び背面側の遊技機（スロットマシンＳ）の下部に亘って取り付けられる板状部材から成り、使用されない遊技球回収手段８を覆って埃や異物等の侵入を防止し得るようになっている。
【００３９】
一方、遊技媒体回収手段を必要とする遊技機（本実施形態においては、パチンコ遊技機Ｐ）を設置する場合、図８に示すように、島設備１の正面側の遊技機（パチンコ遊技機Ｐ）と、背面側の遊技機（パチンコ遊技機Ｐ）とをそれぞれ載置する載置部材９が取り付けられるよう構成されている。かかる載置部材９は、第１の実施形態と同様、パチンコ遊技機Ｐを載置しつつ遊技球回収手段８の上方を解放させて、パチンコ遊技機Ｐから排出された遊技球を遊技球回収手段８まで落下させ得るようになっている。
【００４０】
さらに、島設備１にパチンコ遊技機Ｐを設置する場合の遊技機間に生じた隙間、及びスロットマシンＳを設置する場合の遊技機間に生じた隙間には、化粧部材１４（図７参照）が取り付けられるよう構成されている。かかる化粧部材１４は、遊技機間に生じた隙間に取り付けられ、その隙間を覆って目隠しするためのもので、第１の実施形態と同様、パチンコ遊技機Ｐを設置したときの遊技機間の隙間寸法α３と合致する第１面１４ａと、スロットマシンＳを設置したときの遊技機間の隙間寸法β３に合致する第２面１４ｂとを有した一体部材から成る。
【００４１】
本実施形態によれば、設置される遊技機に応じて上下方向に移動して所定高さにて固定可能とされた膳板２を具備したので、遊技機に応じた設置高さとすることができるとともに、蓋部材１０により遊技媒体回収手段に異物等が侵入してしまうのを確実に防止することができる。また、設置される遊技機に応じて上下方向に移動して所定高さにて固定可能とされた膳板２を具備したので、遊技機に応じた設置高さとすることができるとともに、化粧部材１４により遊技機間の隙間を確実且つ円滑に覆うことができる。
【００４２】
以上、本実施形態について説明したが、本発明はこれに限定されるものではなく、例えば化粧部材１４に代えて、パチンコ遊技機Ｐを設置した際の専用の化粧部材と、スロットマシンＳを設置した際の専用の化粧部材とをそれぞれ具備したものとしてもよい。また、設置する遊技機に応じて膳板２が前後方向に移動して固定され得るものとしてもよい。なお、遊技機の周辺機器は、球貸機Ｐａ及びメダル貸機Ｓａに限定されず、他の装置等であってもよい。
【産業上の利用可能性】
【００４３】
遊技機から排出される遊技媒体を回収し得る遊技媒体回収手段と、遊技媒体回収手段を必要としない遊技機を設置する場合、遊技媒体回収手段を覆い得る蓋部材とを具備した島設備であれば、外観形状が異なるもの或いは他の機能が付加されたもの等にも適用することができる。
【符号の説明】
【００４４】
１、１’  島設備
２  膳板
３  天板
４  幕板
５  ランプ板
６  腰板
７  巾木
８  遊技球回収手段（遊技媒体回収手段）
９  載置部材
１０  蓋部材
１１  アウトボックス
１２  落下通路
１３  呼出ランプ
１４  化粧部材
１４ａ  第１面
１４ｂ  第２面
１５  付勢部材
１６  支持部材
１７  当接部材
１８  スペーサ
Ｐ  パチンコ遊技機
Ｓ  スロットマシン
【図１】
2017104270.tif 000003
【図２】
2017104270.tif 000004
【図３】
2017104270.tif 000005
【図４】
2017104270.tif 000006
【図５】
2017104270.tif 000007
【図６】
2017104270.tif 000008
【図７】
2017104270.tif 000009
【図８】
2017104270.tif 000010
【図９】
2017104270.tif 000011
【図１０】
2017104270.tif 000012